(57)【要約】【課題】表示装置Ｂのアノード電極端子５と、電圧供給線３に接続された接続端子７との接続部に被せられるアノードカバーＡに発生する電位勾配をアノードカバーＡ内に納めることができるようにすることによって、表示装置Ｂのアノード電極への安定した電圧印加を維持できるようにする。【解決手段】絶縁性本体１の一部に導電性接触部２が設けられており、この導電性接触部２が、前記表示装置Ｂへの取り付け時に該表示装置Ｂと接触する位置に設けられているアノードカバーＡとする。【選択図】      図２
2004213958.tif 000002
【特許請求の範囲】
【請求項１】
表示装置のアノード電極端子と、電圧供給線に接続された接続端子との接続部に被せられるアノードカバーにおいて、絶縁性本体の一部に、前記表示装置への取り付け時に該表示装置と接触する導電性接触部が設けられていることを特徴とするアノードカバー。
【請求項２】
絶縁性本体および導電性接触部が共に弾性材料で構成されており、吸盤状をなすことを特徴とする請求項１に記載のアノードカバー。
【請求項３】
二色射出成形法による一体成形品であることを特徴とする請求項２に記載のアノードカバー。
【請求項４】
絶縁性本体が弾性材料で構成され、導電性接触部が可撓性を有する導電性膜で構成されており、吸盤状をなすことを特徴とする請求項１に記載のアノードカバー。
【請求項５】
導電性膜が導電性ペーストの塗膜であることを特徴とする請求項４に記載のアノードカバー。
【請求項６】
内面側外周縁部全周に亘って環状に導電性接触部が形成されていることを特徴とする請求項２〜５のいずれか１項に記載のアノードカバー。
【請求項７】
アノード電極端子と、電圧供給線に接続された接続端子との接続部にアノードカバーが被せられた表示装置において、アノードカバーが請求項１〜６のいずれか１項に記載のアノードカバーであって、このアノードカバーの導電性接触部が表示装置に接触した状態で一定電位に規定されていることを特徴とする表示装置。
【請求項８】
導電性接触部がグランド電位に規定されていることを特徴とする請求項７に記載の表示装置。
【請求項９】
アノードカバーの導電性接触部が、表示装置に設けられたグランド電極に接触していることを特徴とする請求項８に記載の表示装置。
【発明の詳細な説明】
【０００１】
【発明の属する技術分野】
本発明は、テレビジョン受像機、コンピューター等のディスプレイ、メッセージボードなどの文字または画像の表示に用いられる表示装置のアノード電極端子と、電圧供給線に接続された接続端子との接続部に被せられるアノードカバーおよびそれを有する表示装置に関する。
【０００２】
【従来の技術】
従来、ＣＲＴにおいて、アノード電極端子と、電圧供給線に接続された接続端子との接続部に、全体が絶縁性材料で構成された吸盤状のアノードカバーを被せ、当該接続部を覆うことで、高電圧が印加される上記接続部へのほこりの付着、水分の浸入を防止し、放電を抑制できるようにすることが知られている（例えば、特許文献１参照）。
【０００３】
【特許文献】
実開平４−１０６８６１号
【０００４】
【発明が解決しようとする課題】
しかしながら、アノードキャップで覆う接続部には高電圧が印加されることから、上記従来のアノードキャップでは、アノードキャップで覆った部分のみならず、その周囲の本来グランドレベルにあるべき部分にまで電位分布が発生する。そのため、アノードキャップ周囲へのほこりの付着、水分の吸着により、放電が発生し、アノード電極への電圧印加が不安定になりやすい問題がある。
【０００５】
本発明は、上記従来の問題点に鑑みてなされたもので、表示装置のアノード電極への安定した電圧印加を維持できるようにすることを目的とする。
【０００６】
【課題を解決するための手段】
上記目的のために、本発明の第１は、表示装置のアノード電極端子と、電圧供給線に接続された接続端子との接続部に被せられるアノードカバーにおいて、絶縁性本体の一部に、前記表示装置への取り付け時に該表示装置と接触する導電性接触部が設けられていることを特徴とするアノードカバーを提供するものである。
【０００７】
上記本発明の第１は、絶縁性本体および導電性接触部が共に弾性材料で構成されており、吸盤状をなすこと、二色射出成形法による一体成形品であること、絶縁性本体が弾性材料で構成され、導電性接触部が可撓性を有する導電性膜で構成されており、吸盤状をなすこと、導電性膜が導電性ペーストの塗膜であること、内面側外周縁部全周に亘って環状に導電性接触部が形成されていること、をその好ましい態様として含むものである。
【０００８】
また、本発明の第２は、アノード電極端子と、電圧供給線に接続された接続端子との接続部にアノードカバーが被せられた表示装置において、アノードカバーが上記本発明の第１に係るいずれかのアノードカバーであって、このアノードカバーの導電性接触部が表示装置に接触した状態で一定電位に規定されていることを特徴とする表示装置を提供するものである。
【０００９】
上記本発明の第２は、導電性接触部がグランド電位に規定されていること、アノードカバーの導電性接触部が、表示装置に設けられたグランド電極に接触していること、をその好ましい態様として含むものである。
【００１０】
【発明の実施の形態】
以下、本発明を図面に基づいてさらに説明する。
【００１１】
まず、本発明に係るアノードカバーについて図１および図２に基づいて説明する。
【００１２】
図１は本発明に係るアノードカバーの一例を示す縦断面図、図２はその底面図である。
【００１３】
図中Ａはアノードカバーで、絶縁性材料で構成された絶縁性本体１と、この絶縁性本体１の一部に設けられた、導電性材料で構成された導電性接触部２とから構成されている。
【００１４】
絶縁性本体１は、アノードカバーＡの主要部分を構成するもので、その構成材料は、電気的絶縁性に優れた材料であることが好ましい。具体的には、後述する電圧供給線３によって印加される高電圧に対しての絶縁性が機能できるよう、体積抵抗値が１．０×１０９［Ω／ｍ２］以上の絶縁材料で構成されていることが好ましい。この体積抵抗値の上限は特に制限されるものではないが、一般的には１．０×１０１４［Ω／ｍ２］程度である。
【００１５】
導電性接触部２は、アノードカバーＡを表示装置Ｂ（図３参照）に取り付けた時に、表示装置Ｂとの接触する位置に設けられているもので、その構成材料としては、上記絶縁性本体１の構成材料に比して十分な電気的導電性を発揮する材料が用いられる。具体的には、体積抵抗値が１．０×１０６［Ω／ｍ２］以下の材料であることが好ましい。
【００１６】
絶縁性本体１および導電性接触部２の構成材料は、いずれも硬質材料（例えば、絶縁性本体１については硬質合成樹脂、セラミックスなど。導電性接触部２については金属板など。）とすることもできるが、両者とも弾性材料とし、吸盤状のアノードカバーＡとすると、アノードカバーＡの着脱が容易となるので好ましい。絶縁性本体１を構成する弾性材料としては、例えばシリコーンゴム、クロロプレンゴムなどを挙げることができ、導電性接触部２を構成する弾性材料としては、導電性フィラーを混入したシリコーンゴム、クロロプレンゴムなどを挙げることができる。
【００１７】
絶縁性本体１および導電性接触部２の両者を弾性材料で構成した吸盤状のアノードカバーＡは、二色射出成形法による一体成形品として容易に製造することができる。具体的には、絶縁性本体１を構成する材料を射出した後、導電性接触部２を構成する材料を所定の位置に射出することで容易に一体成形品を得ることができる。
【００１８】
吸盤状のアノードカバーＡは、絶縁性本体１を前記弾性材料で構成し、導電性接触部２を可撓性を有する導電性膜として構成することでも得ることができる。この可撓性を有する導電性膜は、導電性ペーストの塗膜として形成することができる。導電性接触部２を導電性ペーストの塗膜として形成する場合、絶縁性本体１を通常の射出成形設備で成形した後導電性接触部２の付設を行えば足るので、射出成形設備が簡易なもので済む利点がある。
【００１９】
図示されるアノードカバーＡは、伏せ椀状の絶縁性本体１の内面側外周縁部全周に亘って環状に導電性接触部２が形成されたもので、絶縁性本体１および導電性接続部２共に弾性材料で構成されており、表示装置Ｂ（図３参照）に押し付けて側壁部４を弾性的に外方に押し広げて偏平化させることで、当該押し付け面に吸着させることができる吸盤状をなしている。導電性接触部２は、アノードカバーＡを表示装置Ｂに吸着させたときに、表示装置Ｂと接触する位置に設けられているものである。導電性接触部２が接触する表示装置Ｂの位置は、後述するアノード電極端子５（図３参照）の周辺部分であるが、表示装置Ｂの筐体表面、表示装置Ｂの構成部品の表面、表示装置Ｂに付加された部品の表面のいずれでもよい。
【００２０】
絶縁性本体１の頂部は側壁部４に比して肉厚となっており、一側方に管状の電圧供給線挿入部６が延出している。この電圧供給線挿入部６内の空間は、絶縁性本体１の頂部で内側へと屈曲しており、頂部内面に開口している。
【００２１】
アノードカバーＡは、先端に接続端子７がハンダ付部８を介して取り付けられた電圧供給線３を接続して使用されるものである。この電圧供給線３の接続は、電圧供給線３の先端部に割環状のストッパ９を嵌め込んだ後、この電圧供給線３の先端部を電圧供給線挿入部６内に差し込み保持させると共に、接続端子７を絶縁性本体部１の頂部内面側に臨ませておくことで行われる。
【００２２】
次に、上述したアノードカバーを有する表示装置について図３に基づいて説明する。
【００２３】
図３は本発明に係るアノードカバーを有する表示装置の一例を示す一部分の断面図である。この図３において、図１および図２と同じ符号は同じ部材または部位を示すものである。
【００２４】
図中Ｂはパネル型の表示装置で、内面にアノード電極および蛍光体（不図示）などを有する前面ガラス板１０と、前面ガラス板１０との対向面に電子放出素子（不図示）を有する裏面ガラス板１１を、枠体（不図示）を介して間隔をあけて対向配置し、内部を排気して真空雰囲気で封止したものとなっている。
【００２５】
裏面ガラス板１１は、直径１０ｍｍ程度の孔１２が形成されており、この孔１２には、アノード電極端子５が外方に突出した状態で封着されている。また、アノード電極端子５は、スプリング電極１３を介して前面ガラス板１０のアノード電極（不図示）に接続されている。
【００２６】
アノードカバーＡは、接続端子７が上記アノード電極端子５に差し込まれて接続され、裾部がこの接続部（接続端子７およびアノード電極端子５）の周囲にの周囲に押し付けられて、当該接続部を覆って裏面ガラス板１１に吸着されている。従って、電圧供給線３から供給される電圧は、アノードカバーＡが被せられた接続端子７およびアノード電極端子５の接続部を介して、スプリング電極１３から不図示のアノード電極へと印加されるものとなっている。
【００２７】
裏面ガラス板１１のアノード電極端子５の周囲には、グランドに接続されたグランド電極１４が設けられており、アノードカバーＡの導電性接続部２はこのグランド電極１４に接触している。
【００２８】
ところで、電圧供給線３から不図示のアノード電極に電圧を印加すると、この印加電圧が一般に高電圧であることから、漏れ電流を生じ、前記接続部付近に電位勾配を生じる。本例においては、アノードカバーＡの導電性接触部２がグランド電位に規定されたグランド電極１４に接触していることから、漏れ電流のルートは、接続端子７から周囲の絶縁性本体部１および導電性接触部２を通ってグランドに流れるルートと、接続端子７からアノード電極端子５、裏面ガラス板１１および導電性接触部２を通ってグランドに流れるルートである。いずれのルートも、導電性接触部２からグランドに流れることになるので、発生する電位勾配はアノードカバーＡ内に納まり、アノードカバーＡの外側に電位勾配を生じるのを防止することができる。従って、アノードカバーＡの外側に電位勾配を生じることによるほこりの付着や水分の吸着を防止することができ、これらによる放電の発生を抑制して、不図示のアノード電極への印加電圧を安定させることができる。
【００２９】
また、アノードカバーの裾側の端部が全周にわたって導電性を有することによって、アノードカバーの裾側の端部の少なくともいずれかに所定電位（好適にはグランド）が供給されることによって裾の端部の全周の電位が該電位に略規定されることになり、アノードカバーの裾の一部が表示装置と接触していない状態になってもアノードカバーの裾の全周の電位を確実に規定できることになる。すなわち、表示装置のアノード電極端子と、電圧供給線に接続された接続端子との接続部に被せられるアノードカバーにおいて、前記表示装置と接触する裾側の端部の全周にわたって導電性を有する部分を設けたことを特徴とするアノードカバーを用いることによって、好適なアノードカバーの電位規定を行うことができる。特にアノード電極端子を有する表示装置にこのアノードカバーが取り付けられた状態において、アノードカバーの裾の導電性を有する部分に所定の電位を供給する手段（好適にはアノードカバーが取り付けられる表示装置に設けられる電極）を設けておくことによって、アノードカバーの電位規定を好適に行うことができる表示装置を実現することができる。
【００３０】
上記の例においては、導電性接触部２の電位をグランド電位に規定できるようにしているが、上記アノードカバーＡの外側での電位勾配の発生を抑制できる範囲で、グランド電位以外の電位に規定してもよい。但し、アノードカバーＡの外側での電位勾配の発生を簡便かつ確実に抑制できるようにする上では、グランド電位に規定することが好ましい。また、上記の例における導電性接触部２の電位の規定は、導電性接触部２を表示装置Ｂに設けられたグランド電極１４に接触させることで行っているが、アノードカバーＡに電位規定線を設けておき、この電位規定線を介して導電性接触部２の電位を一定に規定することもできる。具体的には、アノードカバーＡに導電性接触部２に接続されたアース線を設けておくことによって、導電性接触部２の電位をグランドレベルに保持することもできる。
【００３１】
【発明の効果】
本発明は、以上説明したとおりのものであり、電位を規定できる導電性接触部２によって電位勾配をアノードカバーＡ内に納めることができるので、アノードカバーＡの外側に電位勾配を生じることによるほこりの付着や水分の吸着を防止することができ、これらによる放電の発生を抑制して、アノード電極への印加電圧を安定させ、表示装置の画像を長期に亘って安定させることができるものである。
【図面の簡単な説明】
【図１】本発明に係るアノードカバーの一例を示す縦断面図である。
【図２】図１に示されるアノードカバーの底面図である。
【図３】本発明に係るアノードカバーを有する表示装置の一例を示す一部分の断面図である。
【符号の説明】
Ａ    アノードカバー
Ｂ    表示装置
１    絶縁性本体
２    導電性接触部
３    電圧供給線
４    側壁部
５    アノード電極端子
６    電圧供給線挿入部
７    接続端子
８    ハンダ付部
９    ストッパ
１０  前面ガラス板
１１  裏面ガラス板
１２  孔
１３  スプリング電極
１４  グランド電極
【図１】
2004213958.tif 000003
【図２】
2004213958.tif 000004
【図３】
2004213958.tif 000005